(57)【要約】本発明による引出し式冷蔵庫の引出し用ドア装置は、冷蔵庫本体内部に対してレールの案内によって引出し式に引込み・引出されるドア装置において、断熱層を設けたドアと、前記ドアと共に引込み・引出されるようにドアの裏面に設置され、かつ貯蔵物が貯蔵される貯蔵空間を有するフレームと、前記フレームの先端とドアとを連結し、ドアがフレームに対して所定角度で回転するようにする回転手段と、前記ドアとフレームとを連結してドアの回転を選択的に制限する回転制限手段とを含む。本発明の構成によれば、使用者がドアの傾斜機能を必要に応じて選択して利用することができる。
2005521853.tif 000002
【特許請求の範囲】
【請求項１】
冷蔵庫本体内部に対してレールの案内によって出入れできる引出し式冷蔵庫の引出し用ドア装置において、
断熱層を設けたドアと、
前記ドアと共に冷蔵庫本体の内部に対して引込み・引出すことができるようにドアの裏面に設置され、かつ貯蔵物を貯蔵する貯蔵空間を形成しているフレームと、
前記フレームの前端とドアとを連結しかつドアがフレームに対して所定角度で回転するようにする回転手段と、
前記ドアとフレームとを連結してドアの回転を選択的に制限する回転制限手段とを含む引出し式冷蔵庫の引出し用ドア装置。
【請求項２】
前記回転制限手段は、フレームおよびドアにそれぞれ対応する位置に設けられたロッキング部、および前記ロッキング部によって選択的に弾性変形する傾斜ロックを含む請求項１に記載のドア装置。
【請求項３】
前記傾斜ロックの各々は、ベース板と、
前記ベース板の一端部に連結されかつベース板の上面から所定間隔を置いた弾性変形可能な弾性片と、
前記弾性片を弾性変形させる力よりも小さい力が加えられるときに前記ロッキング部と係止するように前記弾性片の上面に設けられたロッキング段を含む請求項２に記載のドア装置。
【請求項４】
前記ベース板と弾性片との間の間隔に挿入可能であり、弾性片の弾性変形を防止するスペーサをさらに含む請求項３に記載のドア装置。
【請求項５】
前記回転制限手段は、前記ドアおよびフレームのそれぞれに対応する位置に設けられ、かつ電力の供給によって生じる磁力を利用する構成である請求項１に記載のドア装置。
【請求項６】
前記回転制限手段は、ドアの前面一側に設けられた制御ボタンと、
前記制御ボタンの操作によって電力の供給を受けて作動する、ドアの裏面に設けられた電磁石と、
磁気材料により形成され、前記電磁石の位置に対応するフレーム内の位置に設けられ、かつドアが閉じたときにドアの裏面に密接する密接板とを含む請求項５に記載のドア装置。
【請求項７】
前記回転制限手段は、ドアの前面一側に設けられた制御ボタンと、
前記制御ボタンの操作によって電力の供給を受けて作動する、ドアの裏面に設けられたソレノイドと、
前記ソレノイドのプランジャが係止し、かつドアが閉じたときにドアの裏面に密接する密接板とを含む請求項５に記載のドア装置。
【請求項８】
前記回転制限手段は、前記フレームの前端部に設けられ、かつドアを閉じたときにドアの裏面に密接する密接板と、
中心部がヒンジ軸上で軸回転するようにドア内部に設けられ、かつドアの前方に突出した操作部と、前記密接板に係止するように後端部に形成された係止部とを有する操作レバーとを含む請求項１に記載のドア装置。
【請求項９】
前記回転制限手段は、前記フレームの前端一側に回転軸を中心として自由端部が回転するように設けられ、かつ自由端部に係止爪を有するロッキングレバーと、
前記ロッキングレバーに対応するドアの裏面に設けられ、かつ前記係止爪が係止するロッキング段を有する傾斜ロックとを含む請求項１に記載のドア装置。
【請求項１０】
前記ロッキングレバーは、その操作を円滑にするための取手をさらに含む請求項９に記載のドア装置。
【請求項１１】
前記回転制限手段は、前記フレームの先端一側に設けられたロッキング孔に選択的に締結されるロッキングねじと、
前記ドアの裏面に取付け片が取り付けられ、ドアが閉じたときに前記ロッキング孔と対応する位置にロッキング孔が穿孔された締付け片を有する傾斜ロックとを含む請求項１に記載のドア装置。
【請求項１２】
前記ロッキングねじの保管のために、前記フレームの一側には保管孔がさらに穿孔されている請求項１１に記載のドア装置。
【請求項１３】
前記回転制限手段は、前記ドアとフレームとを連結し、かつ第一リンクと第二リンクとを有する連結リンクと、
前記連結リンクを貫通して前記フレームに選択的に締結されて、連結リンクの折り畳みを制限する固定具とを含む請求項１に記載のドア装置。
【請求項１４】
前記固定具の保管のための保管孔が前記フレームの一側に形成されている請求項１３に記載のドア装置。
【請求項１５】
前記回転制限手段は、前記ドアとフレームとを連結し、かつ第一リンクと第二リンクとを有する連結リンクと、
前記フレームの高さ方向に所定間隔を置いて形成された複数の選択孔に選択的に締結され、前記連結リンクの折り畳み範囲を規制する選択手段とを含む請求項１に記載のドア装置。
【請求項１６】
冷蔵庫本体内部に対してレールの案内によって出入れできる引出し式冷蔵庫の引出し用ドア装置において、
断熱層を設けたドアと、
前記ドアと共に冷蔵庫本体内部に対して引込み・引出されるようにドアの裏面に設置され、かつ貯蔵物が貯蔵される貯蔵空間を有するフレームと、
前記フレームの前端とドアとを連結し、かつドアがフレームに対して所定角度で回転するようにする回転手段と、
前記ドアとフレームの前端との間を連結する複数のリンクを有する連結リンクとを含む引出し式冷蔵庫の引出し用ドア装置。
【請求項１７】
前記連結リンクは、ドアとフレームにそれぞれ連結された第一リンクと第二リンクを有し、前記連結リンクの一部を貫通して前記フレームに選択的に締結されて、連結リンクの折り畳みを制限する固定具をさらに含む請求項１６に記載のドア装置。
【請求項１８】
前記連結リンクは、前記ドアとフレームにそれぞれ連結された第一リンクと第二リンクを有し、前記フレームの高さ方向に所定間隔を置いて形成された複数の選択孔に選択的に締結されて、前記連結リンクの折り畳み範囲を規制する選択手段をさらに含む請求項１６に記載のドア装置。
【請求項１９】
冷蔵庫本体内部に対してレールの案内によって出入れできる引出し式冷蔵庫の引出し用ドア装置において、
断熱層を設けたドアと、
前記ドアと共に引込み・引出されるようにドアの裏面に設置され、かつ貯蔵物が貯蔵される貯蔵空間を有するフレームと、
複数のリンクを含み、前記フレームの前端とドアとを連結し、かつドアがフレームに対して所定角度で回転するように弾力を付与するヒンジユニットと、
前記ドアとフレームとを連結し、かつドアの回転を選択的に制限する回転制限手段とを含む引出し式冷蔵庫の引出し用ドア装置。
【請求項２０】
前記ドアの裏面には、前記ヒンジユニットの外側を遮蔽するガイド板がさらに設けられている請求項１９に記載のドア装置。
【請求項２１】
冷蔵庫本体内部に対してレールの案内によって出入れできる引出し式冷蔵庫の引出し用ドア装置において、
断熱層を設けたドアと、
前記ドアと共に引込み・引出されるようにドアの裏面に設置され、かつ貯蔵物が貯蔵される貯蔵空間を有するフレームと、
前記フレームの前端とドアとを連結し、かつドアがフレームに対して所定角度で回転するようにする回転手段と、
前記ドアの裏面とフレームの前端との間に設けられ、かつドアがフレームに密接したときに発生する衝撃を吸収する緩衝手段とを含む引出し式冷蔵庫の引出し用ドア装置。
【請求項２２】
前記緩衝手段は、前記ドアの裏面に対面するフレームの前端に設けられた緩衝部材である請求項２１に記載のドア装置。
【発明の詳細な説明】
【技術分野】
【０００１】
本発明は、引出し式冷蔵庫に関し、より詳しくは、冷蔵庫のドアを前方に引っ張って内部の貯蔵部を取り出すことができるように構成される引出し式冷蔵庫の引出し用ドア装置に関する。
【背景技術】
【０００２】
日本実用新案公開昭５７-１２５９９２には、引出し式冷蔵庫の引出し用ドア装置において、ドアを所定の角度で傾斜できる構成が示されている。しかし、これに開示された技術においては、ドアが閉じている状態ではガスケットの磁力によって冷蔵庫本体に密接しており、ドアと冷蔵庫本体との間の密接性が低下し、冷気漏洩が発生する問題点があった。
そして、ドアを傾斜する必要がないときにも、ドアが自動で回転し、ドアを取り扱い難いという問題点があり、前記ドアの傾斜を誘導するために設けられるスリットや案内片が外力によって変形した場合には、ドアの傾斜動作が正常に行われなくなる問題点もあった。
【０００３】
また、従来技術においては、ドアが傾斜している状態から元の状態に戻される瞬間に、ドアがドアの後方に設けられる貯蔵部側に急に当接して貯蔵部に衝撃を与えるという問題点もあった。
【発明の開示】
【０００４】
本発明は、上記問題点に鑑みなされたものであり、ドアと冷蔵庫本体との密接性を高める引出し式冷蔵庫の引出し用ドア装置を提供することを目的とする。
【０００５】
また、本発明は、ドアの傾斜機能を使用者の好みによって選択して利用できるようにする引出し式冷蔵庫の引出し用ドア装置を提供することを他の目的とする。
【０００６】
また、本発明は、ドアの傾斜動作が円滑に行われるようにする引出し式冷蔵庫の引出し用ドア装置を提供することをさらに他の目的とする。
【０００７】
また、本発明は、ドアが傾斜している状態から元の状態に復帰するときの衝撃を最小化する引出し式冷蔵庫の引出し用ドア装置を提供することをさらに他の目的とする。
【０００８】
上記の目的を達成するため、本発明による引出し式冷蔵庫の引出し用ドア装置は、冷蔵庫本体内部に対してレールの案内によって引出し式に引込み・引出されるドア装置において、断熱層を設けたドアと、前記ドアと共に引込み・引出されるようにドアの裏面に設置されかつ貯蔵物が貯蔵される貯蔵空間を有するフレームと、前記フレームの先端とドアとを連結しかつドアをフレームに対して所定角度で回転させる回転手段と、前記ドアとフレームとを連結してドアの回転を選択的に制限する回転制限手段とを含むことを特徴とする。
【０００９】
また、本発明の他の特徴による引出し式冷蔵庫の引出し用ドア装置は、冷蔵庫本体内部に対してレールの案内によって引出し式に引込み・引出されるドア装置において、断熱層を設けたドアと、前記ドアと共に引込み・引出されるようにドアの裏面に設置されかつ貯蔵物が貯蔵される貯蔵空間を有するフレームと、前記フレームの先端とドアとを連結し、かつドアをフレームに対して所定角度で回転させる回転手段と、前記ドアとフレーム先端との間を連結する複数のリンクからなる連結リンクとを含む。
【００１０】
また、本発明のさらに他の特徴による引出し式冷蔵庫の引出し用ドア装置は、冷蔵庫本体内部に対してレールの案内によって引出し式に引込み・引出されるドア装置において、断熱層を設けたドアと、前記ドアと共に引込み・引出されるようにドアの裏面に設置されかつ貯蔵物が貯蔵される貯蔵空間を有するフレームと、前記フレームの先端とドアとを連結しかつドアをフレームに対して所定角度で回転させるための複数のリンクを有しかつ弾力を付与するヒンジユニットと、前記ドアとフレームとを連結しかつドアの回転を選択的に制限する回転制限手段とを含む。
【００１１】
また、本発明のさらに他の特徴による引出し式冷蔵庫の引出し用ドア装置は、冷蔵庫本体内部に対してレールの案内によって引出し式に引込み・引出されるドア装置において、断熱層を設けたドアと、前記ドアと共に引込み・引出されるようにドアの裏面に設置されかつ貯蔵物が貯蔵される貯蔵空間を有するフレームと、前記フレームの先端とドアとを連結しかつドアをフレームに対して所定角度で回転させる回転手段と、前記ドアの裏面とフレームの先端との間に設けられかつドアがフレームに密接したときに発生する衝撃を吸収する緩衝手段とを含む。
【発明を実施するための最良の形態】
【００１２】
以下、本発明の好ましい実施形態を、添付図面を参照して詳しく説明する。
図１に示すように、冷蔵庫本体１０は、外部と断熱された断熱空間１２を内部に有する。前記冷蔵庫本体１０の前面には、前記断熱空間１２を外部と選択により連絡するドア２０、２０′が設けられる。この実施形態において、冷蔵庫本体１０の下端に設けられたドア２０が引出し式ドアであり、上端に設けられたドア２０′は、ドアハンドル２２′を引っ張ると、前面の右側に取付けられたヒンジ軸を中心に水平方向に軸回転しながら開閉するようになっている。
【００１３】
前記ドア２０は、前面上端にドアハンドル２２を備えており、前記ドアハンドル２２を前方に引っ張ると開く引出し式であり、特に、所定角度で前方に傾斜できるようになっている。従って、図１に示すように、ドア２０を前方に引っ張らなくても単にドア２０を傾斜させることにより、内部の断熱空間１２が開くようになる。
また、図２に示すように、前記ドア２０は、前方に引っ張ると、従来に比べて食品を出入れするために使用する空間がさらに大きくなるように全体的に開く。従って、使用が便利になることは当然である。図２には、ドア２０が所定角度で傾斜した状態が示されている。
【００１４】
次に、図３及び図４を参照して、本発明のより具体的な実施形態について説明する。前記ドア２０の裏面縁部に沿ってガスケット２４が設けられる。前記ガスケット２４は、前記ドア２０が閉じられたとき、冷蔵庫本体１０の前面に密接し、冷気の漏洩を防止するためのものである。参照符号２６は、ドアポケットである。
【００１５】
前記ドア２０の裏面の下端部の両側には、ガイド板２８が設けられる。前記ガイド板２８は、後述するフレーム３０の両端から所定の間隔を置いて設けられ、ヒンジユニット４０を遮蔽する役割も兼ねる。
【００１６】
前記ドア２０の裏面には、支持フレーム３０が設けられる。前記支持フレーム３０は、その下端部で、後述するヒンジユニット４０によって前記ドア２０に連結される。支持フレーム３０の内側にバスケット３２が支持される。よって、前記バスケット３２は、前記ドア２０と共に前記冷蔵庫本体１０に対して出入れされる。前記支持フレーム３０は、前記バスケット３２を支持できる形状であれば、いずれの形状であってもよく、本実施形態において、前記支持フレーム３０は、両側の側板３１と、前記側板３１を連結する連結バー３１′とから構成される。前記連結バー３１′は、前記側板３１の前端上部を相互に連結している。前記側板３１は、前記フレーム３０の前端上部から後方と下方とにそれぞれ延在するように形成される。
【００１７】
前記フレーム３０の側板３１には、固定レール３３が設けられる。前記固定レール３３には、移動レール３４が設けられ、前記冷蔵庫本体１０の断熱空間の両側壁に設けられる案内レール(図示せず)に沿って案内されながらドア２０が開閉するようにする。
【００１８】
前記フレーム３０の前端には、前記ドア２０の裏面と対面するようにロッキング部３６が設けられる。前記ロッキング部３６は、前記フレーム３０の側板３１の一側を切断し折り曲げて形成される。前記ロッキング部３６は、前記ドア２０の裏面に向って所定長さだけ延びている。
【００１９】
次に、図４を参照して、前記ドア２０と前記フレーム３０とを連結するヒンジユニット４０の構成について説明する。本実施形態において、前記ヒンジユニット４０は、複数のリンクを含む。すなわち、ドア２０の裏面に取り付けられるドアヒンジ部４１と前記フレーム３０とに取り付けられるフレームヒンジ部４１′が第一連結リンク４２及び第二連結リンク４３に連結され、ドア２０の開閉が行われるようになっている。
【００２０】
前記第一連結リンク４２は、一端部側が前記ドアヒンジ部４１に連結ピン４２ｐを中心に軸回転するように設けられ、他端部側は、前記フレームヒンジ部４１′を貫通して設けられる。前記フレームヒンジ部４１′は、横断面が「コ」字状になっており、その間を前記第一連結リンク４２が貫通する。
【００２１】
前記第一連結リンク４２の一端部に、前記ドアヒンジ部４１に設けられたスプリング４２が連結される。前記スプリング４２は、前記第一連結リンク４２にドア２０が垂直に立つよう弾性付勢する。前記第一連結リンク４２の他端部には、ドア２０が完全に傾斜したときに前記フレームヒンジ部４１′に設けられたストッパー４５に係止される係止爪４２ｈが設けられる。前記ストッパー４５は、前記フレームヒンジ部４１′の内側にその両端が支持されるように設けられる。
【００２２】
前記第二連結リンク４３は、一端部が前記ドアヒンジ部４１に連結ピン４３ｐを中心に軸回転可能に設けられる。前記第二連結リンク４３の他端部は、前記第一連結リンク４２と同様に、前記フレームヒンジ部４１′を貫通して設けられる。前記第二連結リンク４３の他端部には、前記フレームヒンジ部４１′に設けられた係止ピン４６に選択的に係止される係止面４３ｆが形成される。
【００２３】
前記第一連結リンク４２および第二連結リンク４３は、傾斜していない状態で図４（ａ）に示されており、最大に傾斜した状態で図４（ｂ）に示されている。最大に傾斜している状態では、前記第一連結リンク４２の係止爪４２ｈが前記ストッパー４５に係止され、第二連結リンク４３の係止面４３ｆが前記係止ピン４６に係止される。
【００２４】
前記フレーム３０のロッキング（ｌｏｃｋｉｎｇ）部３６と対応してドア２０の裏面には傾斜ロック（ｌｏｃｋ）５０が設けられる。前記傾斜ロック５０の構成は、図５（ａ）乃至（ｃ）に示されている。傾斜ロック５０は、成形品であり、前記ドアヒンジ部４１に締め付けられるベース板５２を有する。前記ベース板５２は、前記ドアヒンジ部４１の上端に締め付けねじ５０′で締め付けられる。前記ベース板５２の一側から弾性片５４が延びている。前記弾性片５４は、形状および材質の特性上から弾性変形可能に構成され、前記ベース板５２の一端部から他端部に向って延びている。
【００２５】
前記弾性片５４は、一端部で前記ベース板５２に連結され、残部はベース板５２の上面から所定の間隔を置くように形成される。前記弾性片５４の上面には先端案内面５５と後端案内面５６とが設けられ、これらの先端案内面５５と後端案内面５６とが交差する部分は、ロッキング段５７を形成するために高さが最も高く形成される。ここで、前記先端案内面５５側のロッキング段５７部分は、前記ロッキング部３６と係止するように傾斜し、前記後端案内面５６側のロッキング段５７部分は、前記ロッキング部３６が自然に摺動するように傾斜している。前記ロッキング段５７は、その先端案内面５６側が前記ロッキング部３６に係止されるように、ドア２０が傾斜するのを阻止する役割をする。
【００２６】
他方、ドア２０の傾斜を阻止するために使用者は前記傾斜ロック５０のベース板５２と弾性片５４との間にスペーサ５８を挿入できる。前記スペーサ５８は、前記弾性片５４が弾性変形しないようにして、ドア２０の傾斜を防止する。このようなスペーサ５８は、別途に作製され、使用者の必要に応じて使用できるようにドアポケット２６などに保管される。
【００２７】
前記フレーム３０の前面、すなわち、前記ドア２０の裏面と対面する面には、緩衝部材６０が設けられる。前記緩衝部材６０は、前記ドア２０が傾斜した状態から元の状態に復帰するとき、前記フレーム３０に加わる衝撃を吸収する役割をする。前記緩衝部材６０は、前記ドア２０の裏面に設けられてもよい。
【００２８】
このような構成の本発明の好ましい実施形態の作用を説明する。
本実施形態において、使用者は、ドア２０を傾斜可能に使用するか否かを選択することができる。すなわち、前記ドア２０が垂直に立つ状態では、前記傾斜ロック５０が、図５（ａ）に示すように、前記フレーム３０のロッキング部３６に係止される。前記ロッキング部３６は、前記ロッキング段５７に係止した状態を維持するために前記傾斜ロック５０の弾性片５４に形成された先端案内面５５上に着座する。よって、使用者がドア２０を引っ張ると、前記ドアヒンジ部４１に設けられた傾斜ロック５０が図面の矢印A方向に移動しようとするが、前記ロッキング部３６に前記ロッキング段５７が捕捉されて通過できない。
【００２９】
この状態において、前記ドア２０とフレーム３０は前記ロッキング部３６と傾斜ロック５０との係止によって相互に一体となる。よって、前記ドア２０が前記フレーム３０に対し傾斜することなく、共に引っ張られ、ドア２０とフレーム３０とが共に冷蔵庫本体１０の外部に引き出されることになる。
【００３０】
他方、ドア２０が傾斜するようにするためには、相対的に大きい力で前記ドア２０を引っ張ればよい。すなわち、前記ロッキング部３６によって前記傾斜ロック５０の弾性片５４が弾性変形可能な程度の力でドア２０を引っ張る。
【００３１】
これにより、前記ロッキング部３６によって前記弾性片５４が瞬間的に前記ベース板５２に接近し、前記ロッキング部３６とロッキング段５７との係止状態が解除される。図５（ｂ）には、弾性片５４が前記ロッキング部３６を通過する状態が示されており、図５（ｃ）は、ドア２０が傾斜した状態で前記傾斜ロック５０とロッキング部３６との間の関係を示している。
【００３２】
次に、前記ドア２０を引っ張る力を除去すれば、前記ヒンジユニット４０のスプリング４２の復元力によって前記ドア２０は、元の状態に戻る。前記ドア２０が復帰するとき、前記傾斜ロック５０は、後端案内面５６が前記ロッキング部３６に沿って案内される。そして、前記ロッキング段５７が前記ロッキング部３６を通過するときに、前記弾性片５４が弾性変形してドア２０が完全に閉じられるようにする。前記ロッキング段５７がロッキング部３６を通過すると、図５（ａ）の状態となる。
【００３３】
一方、使用者がドア２０を引っ張る力と関係なく、ドア２０が傾斜しないようにするためには、前記傾斜ロック５０にスペーサ５８を挿入する。前記スペーサ５８が、図５（ａ）に点線で示されるように、前記ベース板５２と弾性片５４との間に挿入されると、前記弾性片５４の弾性変形が阻止され、ドア２０の傾斜が回避される。
更に、前記ドア２０が傾斜している状態から元の状態に復帰するとき、前記ドア２０が前記フレーム３０に加える衝撃は、前記緩衝部材６０によって緩衝される。従って、前記ドア２０が強く閉じられても、全衝撃が前記フレーム３０に伝達されることはない。
【００３４】
次に、図６を参照して、本発明による他の実施形態について説明する。本実施形態においては、ドア２０の裏面に連結されたフレーム３０の一側、すなわち、前記ドア２０の裏面と対面するフレーム３０の前面に密接板１３６が設けられる。前記密接板１３６は、前記フレーム３０の前面両端に設けられることが好ましい。
【００３５】
前記密接板１３６は、垂直方向に立つ形状に形成され、ドア２０の閉鎖時に、ドア２０の裏面が密に接触する部分である。そして、前記フレーム３０は、磁気材料で形成されるが、前記密接板１３６は、例えば、金属板から作製される前記フレーム３０と同じ材質で成形されてもよく、さらに一体的に形成されてもよい。
【００３６】
前記密接板１３６が密接するドア２０の裏面部分には、電磁石１５０が設けられている。前記電磁石１５０自体の構成は、既に周知のものと同様に、電流の供給によって磁力が発生するものである。前記電磁石１５０に電流が供給されると、磁力が生じる。このような磁力はドア２０の閉鎖時に電磁石１５０に密接している前記密接板１３６を強く引っ張る。
【００３７】
従って、前記電磁石１５０に電流が供給されると、前記密接板１３６が電磁石１５０に強く密接するために、ドア２０は、実質的に傾斜できない状態となる。このような状態でハンドル２２を前方に引っ張ることになると、ドア２０は、上述の支持フレーム３０と共に摺動して引出される。
【００３８】
前記電磁石１５０に供給される電流を制御するためのスイッチまたは制御ボタンが、ハンドル２２に設けられてよい。よって、前記制御ボタンを押すと、前記電磁石１５０への通電が停止され、ドア２０が傾斜可能な状態となる。そして、ドア２０が閉じた状態では、前記制御ボタン２９が作動しないので、電磁石１５０に電流が供給される。これにより、ドア２０が傾斜できないロック状態となる。
【００３９】
本実施形態においては、使用者がドア２０を開けるとき、ハンドル２２に取り付けられた制御ボタンを押すと、ドア２０は、傾斜可能な状態となり、この状態でハンドル２２を引っ張ると、ドア２０が傾斜する。そして、前記制御ボタンを押さない状態でハンドル２２を引っ張ると、ドア２０が傾斜することなく、単にドア２０を前方に引き出すことができる。
【００４０】
図７は、本発明のさらに他の実施形態を示している。本実施形態において、ドア２０の裏面にソレノイド１５０′が設けられている。前記ソレノイド１５０′は、電流の供給の有無によって上下に移動するプランジャ１５２を備える。例えば、ソレノイド１５０′に電流が供給される場合には、前記プランジャ１５２が上方に突出した状態を維持し、電流の供給が中断されると、前記プランジャ１５２が下方に移動する。
【００４１】
前記ソレノイド１５０′のプランジャ１５２は、前記フレーム３０の密接板１３６の背面に対応する位置にある。更に、前記プランジャ１５２は、前記ソレノイド１５０′に電流が供給されたか否かによって上下に作動し、ドア２０を傾斜するか否かを決定する。
【００４２】
例えば、ドア２０が閉じた状態で前記プランジャ１５２が上方に移動すると、前記プランジャ１５２は密接板１３６の後面に位置して、ドア２０が傾斜できないようになる。使用者がハンドル２０に設けられた制御ボタン２９を押すと、前記プランジャ１５２が下方に移動し、密接板１３６との係合を解除して、ドア２０は傾斜可能な状態になる。
【００４３】
図８には、本発明のさらに他の実施形態が示されている。本実施形態において、ドア２０が傾斜できるか否かを決定するために、機構的構成を使用している。すなわち、フレーム３０の前端には密接片２３９が設けられ、かつ前記密接片２３９と選択により係止するようにドア２０を前後に貫通する操作レバー２５０が設けられる。
【００４４】
前記操作レバー２５０は、ドア２０の内部のヒンジ軸２５１を中心に両端が軸回転するように設けられる。前記操作レバー２５０の一端部は、ドア２０の前面に突出して操作部２５３を形成する。前記操作部２５３は、ドア２０の前方下方に向って傾斜して延びている。そして、前記操作レバー２５０の他端部は、ドア２０の裏面に突出して係止部２５４を形成する。前記係止部２５４は、前記操作部２５３の伸長方向と反対方向にほぼ垂直に近い傾斜で延びていることが好ましい。
【００４５】
このような操作レバー２５０は、弾性部材(図示せず)によって前記ヒンジ軸２５１を中心として特定の方向に回転するように設けられる。本実施形態においては、前記操作レバー２５０の係止部２５４が前記密接片２３９の背面に係止される方向に回転するように弾性部材によって支持されることが好ましい。
【００４６】
従って、平常時には、前記係止部２５４が前記密接片２３９の背面に係止された状態を維持している。もし、使用者が前記操作レバー２５０の操作部２５３を掴んで上方に軸回転させると、前記係止部２５４は、ヒンジ軸２５１を中心として下方に移動するために、密接板２３９との係合が解除される。
【００４７】
このとき、前記操作レバー２５０の操作部２５３は、実質的にドア２０のハンドル２２に近接した位置、例えば、やや下方に設けることにより、使用者がハンドル２２を掴むとき、同時に掴むことができるようにすることが好ましい。
【００４８】
図９には、本発明のさらに他の実施形態が示されている。本実施形態において、フレーム３０の一側にロッキングレバー３３９を設けている。前記ロッキングレバー３３９は、その先端の自由端が一側端を貫通してフレーム３０に設けられた回転軸３３９ｐを中心に回転するように設けられる。前記ロッキングレバー３３９の自由端側には、係止爪３４０が折り曲げられて形成される。前記係止爪３４０と前記回転軸３３９ｐとの間に相当するロッキングレバー３３９部分には取手３４２が設けられている。前記取手３４２は、本実施形態においては棒状になっているが、これに限定されるものではなく、使用者が手でロッキングレバー３３９を操作できる形態であれば、いずれのものであってもよい。
【００４９】
ドア２０には、傾斜ロック３５０が設けられる。前記傾斜ロック３５０は、ドアヒンジ部４１の上端に設けられる。前記傾斜ロック３５０の一側には、前記係止爪３４０が係止するロッキング段３５７が設けられている。前記ロッキング段３５７は、前記傾斜ロック３５０の上面一側から突出して設けられている。
【００５０】
この実施形態において、前記ロッキングレバー３３９は、図１０に示すように、前記係止爪３４０が前記ロッキング段３５７に係止し、ドア２０とフレーム３０とが相互に締め付けられるようにする。すなわち、前記ドア２０の裏面がフレーム３０の前端に密接した状態で、使用者は、図９に示すように係止爪３４０が上方に上昇した状態のロッキングレバー３３９を前記取手３４２で掴んで前記回転軸３３９ｐを中心に回転させ、係止爪３４０が前記ロッキング段３５７に係止するようにする。
【００５１】
前記ロッキングレバー３３９の係止爪３４０が前記傾斜ロック３５０のロッキング段３５７に係止した状態では、使用者がドア２０を傾斜することができず、ドア２０とフレーム３０とが一体になった状態で冷蔵庫本体１０に対して出入れされる。
【００５２】
図１１には、本発明のさらに他の実施形態が示されている。本実施形態においては、ドア２０の傾斜を使用者が選択できるようにロッキングねじ４４０が使用される。前記ロッキングねじ４４０は、平常時、すなわち、ドア２０の傾斜が必要な場合には、前記フレーム３０の側板３１の一部に設けられた保管孔４４１に保管される。
【００５３】
前記側板３１の他の部分には、ロッキング孔４４３が形成されている。後述する傾斜ロック４５０の締付け片４５４は前記ロッキングねじ４４０により前記ロッキング孔４４３に締結される。このようにして、ドア２０の傾斜は阻止される。
【００５４】
ドア２０には、傾斜ロック４５０が設けられる。前記傾斜ロック４５０は、締付け片４５４と取付け片４５２を含み、前記締付け片４５４は、ドア２０とフレーム３０とを締め付ける役割を行い、前記取付け片４５２は、前記傾斜ロック４５０をドア２０に取り付ける役割をする。前記取付け片４５２は、取り付けねじ４５０′によってドア２０の裏面に取り付けられる。
【００５５】
本実施形態において、前記締付け片４５４は、前記取付け片４５２の一側と直交するように形成され、ドア２０の後方に延びている。前記締付け片４５４の先端には、ドア２０の裏面がフレーム３０の前面に密接したとき、前記ロッキング孔４４３と対応するようにロッキング孔４５５が穿孔されている。
【００５６】
一方、図１２には、ドア２０とフレーム３０とが相互に締め付けられた状態が示されている。すなわち、使用者がドア２０を傾斜させない選択をした状態である。ドア２０の裏面がフレーム３０に密接すると、前記傾斜ロック４５０の締付け片４５４は、前記フレーム３０の側板３１の傍に位置する。更に、前記締付け片４５４のロッキング孔４５５は、前記側板３１に設けられたロッキング孔４４３と一致する。
【００５７】
このような状態で、平常時に前記保管孔４４１に締結されたロッキングねじ４４０を外し、前記締付け片４５４のロッキング孔４５５を挿入して前記側板３１のロッキング孔４４３に締め付ける。このようにして、前記ドア２０とフレーム３０とが相互に締結され、ドア２０の傾斜が阻止される。
【００５８】
図１３及び図１４には、本発明のさらに他の実施形態が示されている。図示されたように、ドア２０の裏面とフレーム３０とを連結するために連結リンク５４０が設けられている。前記連結リンク５４０は、ドア２０の傾斜によって折り畳まれる第一リンク５４１と第二リンク５４２とを含む。連結リンク５４０は、ドア２０の両端に設けられることが好ましい。
【００５９】
前記第一リンク５４１の一部には、ロッキング孔５４３が穿孔されている。前記ロッキング孔５４３には、後述する固定具５５０が挿入されて連結リンク５４０の固定を可能にする。
【００６０】
フレーム３０の側板３１には固定具５５０が設けられる。前記固定具５５０として、一般的なねじが使用できる。前記固定具５５０は、平常時に保管孔５５２に保管される。前記保管孔５５２は、前記側板３１の一部に穿孔され、内周面上にねじ山を有する。これにより、前記保管孔５５２に前記固定具５５０を締結して保管することができる。
【００６１】
更に、前記側板３１には、ロッキング孔５５３が穿孔されている。前記ロッキング孔５５３は前記側板３１の相対的に上方端部に形成される。前記ドア２０の裏面がフレーム３０に密接したとき、前記第一リンク５４１のロッキング孔５４３に対応する部分に穿孔される。
【００６２】
前記のような構成の実施形態において、使用者がドア２０の傾斜機能を利用する場合には、図１３に示すように、前記固定具５５０を前記保管孔５５２内に設置する。このような状態で、ドア２０がフレーム３０に対し傾斜可能となる。もちろん、前記固定具５５０が前記第二リンク５４２の移動経路上に置かれると、前記固定具５５０は、ドア２０が傾斜する程度を規制することができる。
【００６３】
他方、使用者がドア２０の傾斜を所望しない場合には、図１４に示すように、第一リンク５４１をフレーム３０に固定具５５０を使用して締結する。すなわち、ドア２０の裏面がフレーム３０に密接した状態では、前記第一リンク５４１のロッキング孔５４３がフレーム３０のロッキング孔５５３に対応する。このような状態で前記固定具５５０を前記ロッキング孔５４３へ挿入して前記側板３１のロッキング孔５５３に締結する。このようにして、前記連結リンク５４０がフレーム３０に締結され、折り畳むことができなくなり、ドア２０が傾斜できなくなる。
【００６４】
図１５乃至図１７には、本発明のさらに他の実施形態が示されている。図示のように、ドア２０の裏面とフレーム３０とを連結するために連結リンク６４０が設けられている。前記連結リンク６４０は、第一リンク６４１と第二リンク６４２とを含み、ドア２０の傾斜によって折り畳まれる。このような連結リンク６４０は、ドア２０の両端に設けられることが好ましい。
【００６５】
フレーム３０の側板３１には選択ねじ６５０が設けられる。一般的なねじが選択ねじ６５０として使用され得る。前記選択ねじ６５０を締結するために、前記フレーム３０の側板３１には、複数の選択孔６５２（６５２ａ、６５２ｂ、６５２ｃ、６５２ｄ）が穿孔される。前記選択孔６５２は、側板３１に上下方向に所定間隔を置いて穿孔される。前記選択孔６５２の内面上にはねじ山が形成されている。これにより、前記選択ねじ６５０は前記選択孔６５２に選択的にねじ止めされる。
【００６６】
前記選択ねじ６５０は、前記選択孔６５２に締結された状態で前記第二リンク６４２の移動経路上に置かれる。よって、前記選択ねじ６５０が締結された選択孔６５２の位置によって前記第二リンク６４２の移動が制限される。これにより、前記ドア２０が傾斜する程度を調節することができる。ここで、前記選択ねじ６５０の頭部は、前記第二リンク６４２が係止できる大きさで形成され、第二リンク６４２によって安易に損傷を受けない、ある程度の衝撃吸収能力を有する材質で形成されることが好ましい。
【００６７】
他方、使用者が前記選択ねじ６５０を前記選択孔６５２のうち、最下端の選択孔６５２ａに締結すると、図１５に示すように、前記連結リンク６４０が相対的に大きく広げられる。よって、ドア２０が傾斜する程度が最も大きくなる。
【００６８】
更に、図１６に示すように、前記選択ねじ６５０を下から二番目の選択孔６５２ｂに締結すると、前記連結リンク６４０が広げられる角度が相対的に減少し、ドア２０の傾斜量も減少する。
【００６９】
もし、前記選択ねじ６５０が最上端の選択孔６５２ｄに締結されると、図１７に示すように、ドア２０の傾斜量が最小となる。そして、設計時に、最上端の選択孔６５２ｄに選択ねじ６５０が締結されると、ドア２０が傾斜できないようにすることもできる。
【００７０】
以上のように、図示実施形態を参照して詳細に説明し、本発明は、これに限定されるものでなく、本発明の基本的な技術的思想を逸脱しない範囲内で、当業界の通常の知識を有する者にとって他の多くの変更が可能であろう。また、本発明は、添付の特許請求の範囲により解釈されるべきであることは言うまでもない。
【産業上の利用可能性】
【００７１】
上述の本発明によれば、引出し式冷蔵庫の引出しのための傾斜可能ドア装置は次の利点を有する。
第一に、使用者がドアの傾斜機能を必要に応じて選択して利用することが可能となり、使用者の利便性を高める効果がある。
【００７２】
更に、本発明によれば、ヒンジユニットの弾力によってドアが閉じられるため、ドアと冷蔵庫本体との間の密接性が高くなり、冷気の漏洩が発生しなくなる効果がある。
【００７３】
また、本発明によれば、ドアの傾斜のための構成としてヒンジユニットを使用し、ドアの傾斜を誘導するための他の構成を使用しないため、ドアの傾斜操作が周辺部品の変形等によって妨害されず、操作信頼性が高くなる。
【００７４】
また、本発明によれば、ドアとフレームとの間に緩衝部材が設置され、ドアが傾斜している状態から元の状態に復帰するとき、ドアによる衝撃が吸収されるので、フレームが受ける衝撃を最小化する。
【００７５】
さらに、本発明によれば、ドアの傾斜角度を使用者の好みによって様々に選択することができるので、使用者や冷蔵庫の設置環境などの条件によってドアを適正に傾斜できる点で便利である。
【図面の簡単な説明】
【００７６】
【図１】本発明による冷蔵庫の引出し式ドア装置の好ましい実施形態を採用した冷蔵庫の斜視図である。
【図２】ドア装置のドアが傾斜しかつ引き出された状態を示す本発明の実施形態を採用した冷蔵庫の斜視図である。
【図３】本発明の実施形態を採用した冷蔵庫の内部構成を示す斜視図である。
【図４】（ａ）及び（ｂ）は、本発明の実施形態を構成するヒンジユニットの構成及びその動作を示す側面図である。
【図５】（ａ）乃至（ｃ）は、本発明の実施形態における傾斜ロックとロッキング部との間の関係を順次に示す動作状態図である。
【図６】本発明の他の実施形態の構成を示す側面図である。
【図７】本発明のさらに他の実施形態の構成を示す側面図である。
【図８】本発明のさらに他の実施形態の構成を示す部分断面側面図である。
【図９】本発明のさらに他の実施形態の構成を示す斜視図である。
【図１０】図９に示された実施形態におけるドアとフレームとが締め付けられた状態を示す使用状態図である。
【図１１】本発明のさらに他の実施形態の構成を示す斜視図である。
【図１２】図１１に示された実施形態におけるドアとフレームとが締め付けられた状態を示す使用状態図である。
【図１３】本発明のさらに他の実施形態の構成を示す部分側面図である。
【図１４】図１３に示された実施形態においてドアの傾斜を防止する状態を示す使用状態図である。
【図１５】本発明のさらに他の実施形態の構成を示す部分側面図である。
【図１６】図１５に示された実施形態の使用を示す図である。
【図１７】図１５に示された実施形態の使用を示す図である。
【図１】
2005521853.tif 000003
【図２】
2005521853.tif 000004
【図３】
2005521853.tif 000005
【図４ａ】
2005521853.tif 000006
【図４ｂ】
2005521853.tif 000007
【図５ａ】
2005521853.tif 000008
【図５ｂ】
2005521853.tif 000009
【図５ｃ】
2005521853.tif 000010
【図６】
2005521853.tif 000011
【図７】
2005521853.tif 000012
【図８】
2005521853.tif 000013
【図９】
2005521853.tif 000014
【図１０】
2005521853.tif 000015
【図１１】
2005521853.tif 000016
【図１２】
2005521853.tif 000017
【図１３】
2005521853.tif 000018
【図１４】
2005521853.tif 000019
【図１５】
2005521853.tif 000020
【図１６】
2005521853.tif 000021
【図１７】
2005521853.tif 000022
【国際調査報告】
2005521853.tif 000023